(57)【要約】      （修正有）【課題】高所作業用の安全帯をする際に利便性を損なわず、安全帯を使用しない場合にも違和感の無い上着を提供する。【解決手段】本考案の上着は、前面にフック掛け２０を有する上着であって、前身頃２と肩ヨーク５の切り替え線を左右の胸部上方に有し、切り替え線の両端６ａ、６ｂを縫着し、中央部を縫着しないことにより開口部７を形成し、フック掛け２０はＤ環８をベルト部材９に通して環状に形成され、開口部７から出し入れでき、フック掛け２０を表側に出したときＤ環８が露出する位置で、開口部７の上方で肩ヨーク５の裏側から縫着されている。【選択図】図２
0003216319.tif 000002
【実用新案登録請求の範囲】
【請求項１】
前面にフック掛けを有する上着であって、前身頃と肩ヨークの切り替え線を左右の胸部上方に有し、前記切り替え線の両端を縫着し、中央部を縫着しないことにより開口部を形成し、前記フック掛けはＤ環をベルト部材に通して環状に形成され、前記開口部から出し入れでき、前記フック掛けを表側に出したとき前記Ｄ環が露出する位置で、ベルト部材の端部が前記開口部の上方の裏側に縫着されていることを特徴とする上着。
【請求項２】
請求項１の上着において、前記ベルト部材の端部の裏側から前記開口部を覆う裏布が逢着されていることを特徴とする上着。
【考案の詳細な説明】
【技術分野】
【０００１】
本考案は、ランヤードのフック、カラビナ等を掛けることができる環状部材を備えた上着に関するものである。
【背景技術】
【０００２】
高所作業を行う際には、作業員は墜落に備えて安全帯を装着する。作業員はさらに安全帯に対してランヤードを接続し、ランヤードのフックを安全な位置に引っかけて作業を行う。作業を行わない状態においては、取り付けたランヤードは安全帯から垂れ下がった状態であり、作業員はランヤードを手で持っておく必要がある。
【０００３】
そのような作業員の手をランヤードから開放するために、前身頃の左右の胸部にフック掛けが取り付けられ、フックを一時的に衣服の前面に掛けて置くことが可能な衣服が例えば特許文献１や特許文献２において知られている。特許文献１においては、胸元に取り付けられたベルト部材に対して、フックを引っかけるＤ環を脱着自在に取り外しできる。また、特許文献２においては、ループは衣服の外部に露出したり、内部に収容したりすることができる。
【先行技術文献】
【特許文献】
【０００４】
【特許文献１】実用新案登録第３２０９７６０号公報
【特許文献２】特許第６１９１０２８号公報
【考案の概要】
【考案が解決しようとする課題】
【０００５】
特許文献１の技術によれば、フック掛けにランヤードを取り付けていない状態では、胸の上に垂れ下がったベルト部材はデザイン上不自然であり、またＤ環を付けた際には無骨な雰囲気である。また、特許文献２によれば、ループを出し入れする開口が胸の位置の前身頃に開けられており、違和感をもたらす。また、ループではなく、Ｄ環を収納自在にしようとすると、開口をより大きくしなければならない。
人の目に触れる正面胸元にフック掛けを設けることは、例えそれが収容可能であろうが、部分的に取り外し可能であろうが、高所作業用の衣服であるというイメージであり、通常の衣服として使用するには違和感を払拭できない。
そこで、本考案は、フック掛けを出し入れでき、使用しないときはフック掛けのあることを感じさせない上着を提供することを目的とする。
【課題を解決するための手段】
【０００６】
上記目的を達成するために、本考案の上着は、前面にフック掛けを有する上着であって、前身頃と肩ヨークの切り替え線を左右の胸部上方に有し、前記切り替え線の両端を縫着し、中央部を縫着しないことにより開口部を形成し、前記フック掛けはＤ環をベルト部材に通して環状に形成され、前記開口部から出し入れでき、前記フック掛けを表側に出したとき前記Ｄ環が露出する位置で、前記開口部の上方で前記肩ヨークの裏側から縫着されている。
【考案の効果】
【０００７】
この考案によれば、前身頃と肩ヨークの切り替え線を利用して開口部を形成し、その開口部からフック掛けを出し入れできるようにしたことにより、フック掛けを使用しない時は裏側に収納し、外観は普通の上着とかわりなく、フック掛けのあることを感じさせない。
【図面の簡単な説明】
【０００８】
【図１】本考案に係る上着の正面図である。
【図２】フック掛け部分の拡大説明図であって、図２Ａはフック掛けを表側に露出している状態の説明図、図２Ｂはフック掛けを裏側に収納している状態の説明図、図２Ｃは上着を裏返してフック掛けを裏側に収納した状態の説明図である。
【図３】図２の部分拡大断面図で、図３Ａは図２ＡのＸ−Ｘ線部分拡大断面図、図３Ｂは図２ＢのＹ−Ｙ線部分拡大断面図である。
【考案を実施するための形態】
【０００９】
以下、本考案に係る上着１の一実施の形態について、図１〜図３に基づいて説明する。
図１は本考案に係る上着１の正面図を示している。上着１は前身頃２、袖３、襟４、肩ヨーク５等からなる。前身頃２と肩ヨーク５の切り替え線６は左右の胸部上方にあり、その切り替え線６に開口部７がある。開口部７は切り替え線６の両端６ａ、６ｂを縫着し、中央部分を縫着しないことにより形成される。
【００１０】
図２において、フック掛け２０はＤ環８とベルト部材９とを有している。図２Ａはフック掛け２０を表側に露出している状態を示し、図２Ｂはフック掛け２０を上着１の裏側に収納している状態を示している。図２Ｃは上着１の裏側に収納したフック掛け２０を、上着１の裏返から見た状態を示している。また、図３Ａは図２ＡのＸ−Ｘ線部分拡大断面図、図３Ｂは図２ＢのＹ−Ｙ線部分拡大断面図である。
【００１１】
図３Ａにおいて、フック掛け２０は、ベルト部材９をＤ環８に通して折り返し環状に形成し、ベルト部材９の端部同士を重ね、開口部７の上方で肩ヨーク５の裏側から縫着されている。ベルト部材９の長さは、開口部７からＤ環８を出したときに、Ｄ環とベルト部材９の一部が露出する長さに設定されている。そして、上着１の表側は、図２Ａに示すように、切り替え線６の下からベルト部材９をＤ環８が表出している状態となる。ベルト部材９の端部が開口部７の上方で縫着されているため、ランヤードのフックを取り付けた際に、開口部７がランヤードの重さで広がることはない。
【００１２】
裏布１０は、開口部７とベルト部材９を裏から開口部７よりも下側にまで端が覆うような長さを持って配置されている。裏布１０の上端部１０ａは肩ヨーク５に縫着され、左右端部１０ｂ、１０ｃは袖ぐり及び襟ぐりに縫着されている。切り替え線の両端６ａ、６ｂに沿った肩ヨーク側１１ａ、１１ｂにおいて、前身頃２、肩ヨーク５と裏布１０を縫い合わせて、開口部７の空気の出入りを抑えている。
【００１３】
図３Ｂにおいて、フック掛け２０は、上着１の裏側に位置している。前身頃２の裏側に移されたベルト部材９は、前身頃２と裏布１０の間に挟まれて位置することにより、上着１の内側から開口部７までの通路が封鎖される。Ｄ環８は、裏布１０から下に出ている状態であるため、開口部７から出す際に上着１の内側からＤ環８を直接的に手で操作できるので都合が良い。なお、開口部７の空気の出入りを完全に遮断するために裏布１０の端をＤ環８の下側まで伸ばし、前身頃２に縫い付けても良い。上着１の表側は、図２Ｂに示すように、開口部７は切り替え線６と同一化して、存在が見えないようになっている。このように、本実施例によれば、前身頃２と肩ヨーク５の切り替え線６を利用して開口部７を形成し、その開口部７からフック掛け２０を出し入れできるようにしたことにより、フック掛け２０を使用しない時は裏側に収納し、外観は普通の上着とかわりなく、フック掛け２０のあることを感じさせないという効果がある。
【００１４】
本考案は、冷却ファンを装備した上着に取り付けることも可能である。そのような上着を着用する場合、上着の下に安全帯を装着し、ランヤードを上着の表側に出して使用する。本考案のフック掛けは、そのような場合に上着の表側に出して利用する。また、防寒着などその他の作業着にも取り付けることも可能である。この場合も、防寒着などの下に安全帯を装着し、ランヤードを上着の表側に出して使用する。いずれの場合も、フック掛け２０のあることを感じさせないスタイリッシュな見た目になるという効果を奏する。
【符号の説明】
【００１５】
１    上着
２    前身頃
３    袖
４    襟
５    肩ヨーク
６    切り替え線
７    開口部
８    Ｄ環
９    ベルト部材
１０  裏布
２０  フック掛け
【図１】
0003216319.tif 000003
【図２】
0003216319.tif 000004
【図３】
0003216319.tif 000005